(57)【特許請求の範囲】
【請求項１】
折ることにより表示サイズを変更可能な表示素子と、
前記表示素子の表示サイズを検知する検知手段と、
前記表示サイズ毎に対応させて、アプリケーションを特定する情報を記憶する記憶手段と、
前記検知手段により前記表示サイズの変化が検知されたとき、該変化後の表示サイズに対応する前記アプリケーションに従った表示を、前記表示素子に行わせる制御手段と、を備えた表示装置。
【請求項２】
前記検知手段により前記表示サイズの変化が検知されたとき、該変化後の表示サイズに対応する前記アプリケーションを、該アプリケーションが格納された外部装置から取得する取得手段を更に備えたことを特徴とする請求項１に記載の表示装置。
【請求項３】
前記記憶手段は、前記表示サイズ毎に対応させて、前記表示素子の表示に必要な表示内容データを特定する情報を記憶し、
前記制御手段は、前記検知手段により前記表示サイズの変化が検知されたとき、該変化後の表示サイズに対応する前記アプリケーションと前記表示内容データとに従った表示を、前記表示素子に行わせることを特徴とする請求項１に記載の表示装置。
【請求項４】
前記検知手段により前記表示サイズの変化が検知されたとき、該変化後の表示サイズに対応する前記表示内容データを、該表示内容データが格納された外部装置から取得する取得手段を更に備えたことを特徴とする請求項３に記載の表示装置。
【請求項５】
前記記憶手段に記憶される情報は、追加、変更および削除が可能であることを特徴とする請求項１から４のいずれかに記載の表示装置。
【請求項６】
前記表示素子は、表示を保持するのにエネルギーが不要なメモリ型の表示素子であることを特徴とする請求項１から５のいずれかに記載の表示装置。
【請求項７】
前記表示サイズには、折りなしの状態の全面表示サイズが含まれることを特徴とする請求項１から６のいずれかに記載の表示装置。
【請求項８】
折ることにより表示サイズを変更可能な表示素子の表示方法であって、
前記表示素子の表示サイズを検知するステップと、
該検知するステップにおいて前記表示サイズの変化が検知されたとき、該変化後の表示サイズに対応するアプリケーションを特定するステップと、
該特定するステップにおいて特定されたアプリケーションに従った表示を、前記表示素子に行わせるステップと、を有することを特徴とする表示方法。
【発明の詳細な説明】
【０００１】
【発明の属する技術分野】
本発明は、電子ペーパに代表される薄型携帯表示装置において、電気的に自由に表示、書き込み、消去という操作が可能で、かつ、表示面全体を活かせるように折り畳んだり広げたりすることが可能で、状況に応じて最適な操作性や視認性を提供可能な折り畳み可能表示装置に関する。
【０００２】
【従来の技術】
従来、例えば特開平８−２８６６１６号公報において、恒久接続部と切れ目になり得る着脱接続部とにより自由に折り畳みできるように構成され、全体でひとつの装置として機能する表示装置が提案されている。この表示装置では、折り畳むことより表示サイズを変更でき、表示サイズの変更に応じて変倍表示や表示内容の変更を行っている。
【０００３】
【発明が解決しようとする課題】
しかしながら、上述した従来の表示装置では、折り畳んで表示サイズを変えることにより表示内容を自由に変更できるが、表示内容はユーザが表示サイズに応じてその都度切り替える必要があり、操作性が悪いという問題があった。
【０００４】
【課題を解決するための手段】
そこで、前記問題を解決するために本発明の表示装置は、
折ることにより表示サイズを変更可能な表示素子と、
前記表示素子の表示サイズを検知する検知手段と、
前記表示サイズ毎に対応させて、アプリケーションを特定する情報を記憶する記憶手段と、
前記検知手段により前記表示サイズの変化が検知されたとき、該変化後の表示サイズに対応する前記アプリケーションに従った表示を、前記表示素子に行わせる制御手段と、を備えたものである。
【０００５】
本発明の表示装置では、前記表示素子が、表示を保持するのにエネルギーが不要なメモリ型の表示素子であってもよい。
【０００６】
また、本発明の表示装置では、前記表示サイズに、折りなし状態の全面表示サイズが含まれてもよい。
【０００８】
また、本発明の表示装置では、前記記憶手段が、前記表示サイズ毎に対応させて、前記表示素子の表示に必要な表示内容データを特定する情報を記憶し、前記制御手段が、前記検知手段により前記表示サイズの変化が検知されたとき、該変化後の表示サイズに対応する前記アプリケーションと前記表示内容データとに従った表示を、前記表示素子に行わせてもよい。
【０００９】
また、本発明の表示装置では、前記記憶手段に記憶される情報が、追加、変更および削除可能であってもよい。
【００１０】
また、本発明の表示装置は、前記検知手段により前記表示サイズの変化が検知されたとき、該変化後の表示サイズに対応する前記アプリケーションを、該アプリケーションが格納された外部装置から取得する取得手段、又は、前記検知手段により前記表示サイズの変化が検知されたとき、該変化後の表示サイズに対応する前記表示内容データを、該表示内容データが格納された外部装置から取得する取得手段を更に備えるようにしてもよい。
【００１１】
本発明の表示方法は、折ることにより表示サイズを変更可能な表示素子の表示方法であって、前記表示素子の表示サイズを検知するステップと、該検知するステップにおいて前記表示サイズの変化が検知されたとき、該変化後の表示サイズに対応するアプリケーションを特定するステップと、該特定するステップにおいて特定されたアプリケーションに従った表示を、前記表示素子に行わせるステップと、を有するものである。
【００１２】
【発明の効果】
本発明の表示装置および表示方法によれば、表示素子が折られて表示サイズが変わると、これに応じて表示内容が自動的に切り替わり、操作性が向上することになる。
【００１３】
【発明の実施の形態】
以下、本発明の実施の形態について添付図面を参照して説明する。
図１は、本発明の一実施形態である表示装置１０の平面図である。表示装置１０は、四辺縁部１２に囲まれた表示部（表示素子）１４を備えている。表示部１４は、点線で示す折り線で折ることで２つ折り、４つ折り、または８つ折りが可能である。これにより、表示装置１０では、折りなしの全面表示サイズ、２つ折り表示サイズ、４つ折り表示サイズ、または８つ折り表示サイズに表示サイズを変更できるようになっている。
【００１４】
表示部１４としては、表裏両面表示が可能ないわゆる電子ペーパを使用することができる。ここで、電子ペーパは、電気泳動式やツイストボール式などの表示保持にエネルギーを要しないメモリ型のものであることが好ましいが、液晶式やエレクトロルミネセンス式などの表示保持にエネルギーを必要とするタイプのものであってもよい。
【００１５】
前記表示装置１０の縁部１２には、各折り線の両端部にセンサ（検知手段）２，３，４，５，６，７，８，９が配置されている。これらのセンサ２〜９は、折り線での折り畳みまたは折り曲げを検出するためのもので、それぞれ各２つのセンサ素子からなり、例えば折られていない時および谷折り時にオフ状態にあり、山折り時にオン信号を出力する。これらのセンサのオン・オフ状態から表示装置１０の折り状態すなわち表示サイズを検知できるようになっている。
なお、センサ２〜９としては、例えば接触・非接触でオン・オフする磁気式センサや、入光の有無でオン・オフする光学式センサなどが使用可能である。
【００１６】
表示装置１０の縁部１２には、図２に示すように、電源１６と制御部２０が設けられている。電源１６は、表示部１４および制御部２０に給電するように接続されている。
【００１７】
制御部２０は、ＣＰＵ（切替手段）２２を備えている。ＣＰＵ２２は、電源１６から電力供給されると、次のような処理を実行する。ＲＯＭ２４に格納された制御プログラムを読み出して実行する。制御上必要なデータをＲＡＭ（記憶手段および登録手段）２６に格納する。センサ２〜９の出力信号から表示装置１０の折り状態を判断し、表示サイズを検知する。電源オフ後も記憶しておく必要のあるデータをバックアップＲＡＭ２８に格納する。センサ３０，３１からの出力信号により、後述する所定表示画面におけるＹＥＳもしくはＯＫボタン、またはＮＯもしくは削除ボタンが押されたことを検知して、制御の判断に用いる。ＶＲＡＭ３２へ表示データを書き込み、表示ドライバー３４に表示の要求をすることで、表示部１４での表示を行う。ＣＰＵ２２はまた、有線または無線を介してネットワーク４０に接続可能になっている。
【００１８】
前記ＲＡＭ２６についてさらに説明すると、ＲＡＭ２６には、表示部１４の表示に関する複数の情報が各表示サイズ毎に対応して記憶されるとともに、前記複数の情報について各表示サイズ毎にどの情報をそれぞれ優先させるのかが登録される（以下、優先される情報を「優先情報」という）。或る表示サイズに対応する複数の情報と、別の表示サイズに対応する複数の情報とには、同じものが含まれていてもよい。ここで「情報」とは、具体的にはアプリケーション名およびその格納先アドレス（例えばファイルアドレス、ＩＰアドレス等）をいう。ＣＰＵ２２は、そのアプリケーション名および格納先アドレスに基づいて、ネットワーク４０上の１つまたは複数の外部サーバ（外部装置）からそのアプリケーションをダウンロードしてバックアップＲＡＭ２８に格納する。
【００１９】
なお、本実施形態では或る表示サイズに対応する優先情報を登録する登録手段と、別の表示サイズに対応する優先情報を登録する登録手段とが１つのＲＡＭ２６であるとしたが、複数の登録手段すなわちＲＡＭに分けて登録するようにしてもよい。
また、本実施形態ではアプリケーションを外部から取得するようにしたが、ＲＡＭ２６にアプリケーション自体を予め格納しておいてもよい。
さらに、表示を行うのにアプリケーションだけでなく表示内容データも必要である場合には、ＲＡＭ２６に表示内容データ名およびその格納先アドレスを記憶させておいて外部サーバからダウンロードしてもよいし、ＲＡＭ２６に表示内容データ自体を予め格納しておいてもよい。
【００２０】
続いて、以上の構成からなる表示装置１０のＣＰＵ２２による制御について図３〜５のフローチャートにしたがって説明する。
電源がオンされると（ステップＳ１００）、表示情報登録モードが選択されたかどうかを判断する（ステップＳ１０１）。このとき、表示部１４には図６に示す画面が表示され、ＹＥＳボタンが押されるとそれがセンサ３０で検知されて表示情報登録モードが選択されたと判断し（ステップＳ１０１でＹＥＳ）、一方、ＮＯボタンが押されるとそれがセンサ３１で検知されて表示情報登録モードが選択されなかったと判断する（ステップＳ１０１でＮＯ）。メーカサイドでの初期設定時には表示情報登録モードが必ず選択され、ユーザサイドではアプリケーションの追加、変更、削除を行うときに表示情報登録モードが選択されることになる。
【００２１】
表示情報登録モードが選択されると、表示部１４には図７に示す画面が表示され、ここで折りモードを選択する（ステップＳ２００）。この画面上で例えば「全面」を選択してＯＫボタンを押すと、続いて表示部１４には図８に示す画面が表示され、ここでアプリケーション名を登録する（ステップＳ２０１）。この画面上で記号および変換ボタンを用いてアプリケーション名を例えば「新聞」として入力してからＯＫボタンを押すと、続いて表示部１４には図９に示す画面が表示され、ここでアプリケーション格納先を登録する（ステップＳ２０２）。この画面上で記号および変換ボタンを用いて例えば「Ｓｅｒｖｅｒ………」というように格納先アドレスを入力してからＯＫボタンを押すと、続いて表示部１４には図１０に示す画面が表示され（ステップＳ２０３）、表示情報登録モードを続行する場合にはＮＯボタンを押すと、前記ステップＳ２００〜２０２を繰り返すことができ、これにより全面、２つ折り、４つ折り、８つ折りの各折りモードすなわち各表示サイズ毎にそれぞれ複数のアプリケーションを登録することができる（図１２参照）。
【００２２】
なお、ユーザがアプリケーションの追加、変更、削除を行う場合にも、上述した表示情報登録モードの各ステップＳ２００〜２０２にしたがって行うが、図８，９に示す画面上の削除ボタンを使用することでアプリケーションの削除および変更が可能になる。一方、ユーザがアプリケーションの追加、変更、削除を行わない場合には、図６に示す画面上でＮＯボタンを押すことで次のステップＳ１０２に移行する。
【００２３】
上記のようにして全てのアプリケーション登録が終了し、図１０に示す画面上でＹＥＳボタンが押されると、続いて、優先アプリケーション設定モードが選択されたかどうかを判断する（ステップＳ１０２）。このとき、表示部１４には図１１に示す画面が表示され、この画面上でＹＥＳボタンが押されたことをセンサ３０で検知すると優先アプリケーション設定モードが選択されたと判断し（ステップＳ１０２でＹＥＳ）、一方、ＮＯボタンが押されたことをセンサ３１で検知すると優先アプリケーション設定モードが選択されなかったと判断する（ステップＳ１０２でＮＯ）。メーカ出荷前の初期設定時には優先アプリケーション設定モードが選択され、ユーザサイドでは優先アプリケーションの変更を行うときに優先アプリケーション設定モードが選択されることになる。
【００２４】
優先アプリケーション設定モードが選択されると、表示部１４には図１２に示す画面が表示され、この画面上で全面、２つ折り、４つ折り、８つ折りの各表示サイズについてどのアプリケーションを優先させるかを初期設定登録または変更設定登録する（ステップＳ３００）。ここでは、黒く塗られているアプリケーション（全面では「新聞」、２つ折りでは「雑誌」、４つ折りでは「手帳」、８つ折りでは「電卓」）が優先アプリケーションとして設定されたとする。優先アプリケーションの設定あるいは変更が終わってＯＫボタンが押されると、優先アプリケーション設定モードの終了と判断し（ステップＳ３０１でＹＥＳ）、続いて、電源オフかを判断する（ステップＳ１１２）。電源がオフされると（ステップＳ１１２でＹＥＳ）、制御が終了する。一方、電源がオフされない場合（ステップＳ１１２でＮＯ）、表示装置１０の折り状態が変化したかを各センサ２〜９の出力の変化に基づいて判断する（ステップＳ１１３）。折り状態が変化するまでそのまま待機し（ステップＳ１１３でＮＯ）、折り状態が変化した場合には後述するステップＳ１０３に移行する（ステップＳ１１３でＹＥＳ）。
【００２５】
初期設定済みの表示装置１０の電源がオンされた後（ステップＳ１００でＹＥＳ）、表示情報登録モードおよび優先アプリケーション設定モードがいずれも選択されなかった場合（ステップＳ１０１，Ｓ１０２でいずれもＮＯ）、折り状態を検出する（ステップＳ１０３）。このとき、センサ２〜９の出力状態から下記の表に基づいて表示装置１０の折り状態すなわち表示サイズを検出する。
【００２６】
【表１】
0004706151.tif 000002
【００２７】
そして、まず、折りなしかどうかを判断し（ステップＳ１０４）、折りなしと判断されると（ステップＳ１０４でＹＥＳ）、折りなし用優先アプリケーションをネットワークからダウンロードして取得し（Ｓ１０５）、図１３（ａ）に示すように、全面表示サイズで新聞に表示更新する（ステップＳ１１１）。
【００２８】
折りなしではないと判断されると（ステップＳ１０４でＮＯ）、次に、２つ折りかどうかを判断する（ステップＳ１０６）。２つ折りであると判断されると（ステップＳ１０６でＹＥＳ）、２つ折り用優先アプリケーションをネットワークからダウンロードして取得し（ステップＳ１０７）、図１３（ｂ）に示すように、２つ折り表示サイズで雑誌に表示更新する（ステップＳ１１１）。
【００２９】
２つ折りではないと判断されると（ステップＳ１０６でＮＯ）、次に、４つ折りかどうかを判断する（ステップＳ１０８）。４つ折りであると判断されると（ステップＳ１０８でＹＥＳ）、４つ折り用優先アプリケーションをネットワークからダウンロードして取得し（ステップＳ１０９）、図１３（ｃ）に示すように、４つ折り表示サイズで手帳に表示更新する（ステップＳ１１１）。
【００３０】
４つ折りではないと判断されると（ステップＳ１０８でＮＯ）、８つ折りであると判断され、８つ折り用優先アプリケーションをネットワークからダウンロードして取得し（ステップＳ１１０）、図１３（ｄ）に示すように、８つ折り表示サイズで電卓に表示更新する（ステップＳ１１１）。
【００３１】
その後、上述したように電源がオフされると（ステップＳ１１２でＹＥＳ）、制御を終了し、一方、電源がオフされなければ（ステップＳ１１２でＮＯ）、表示装置１０の折り状態が変化するまで表示状態をそのまま維持し（ステップＳ１１３）、折り状態が変化した場合には上述したステップＳ１０３以降の処理を繰り返すことになる。これにより、変更された折り状態の優先アプリケーションにしたがって表示が自動更新されることになる。
【００３２】
このように本実施形態の表示装置によれば、表示部１４が折られて表示サイズが変わると、これに応じて表示内容が自動的に切り替わり、操作性が向上する。
【図面の簡単な説明】
【図１】  本発明にかかる表示装置の平面図。
【図２】  表示装置の制御部のブロック図。
【図３】  表示装置の制御フローチャート。
【図４】  表示装置の制御フローチャート、図３の続き。
【図５】  表示装置の制御フローチャート。図３の続き。
【図６】  表示画面の例を示す図。
【図７】  表示画面の例を示す図。
【図８】  表示画面の例を示す図。
【図９】  表示画面の例を示す図。
【図１０】  表示画面の例を示す図。
【図１１】  表示画面の例を示す図。
【図１２】  表示画面の例を示す図。
【図１３】  各表示サイズの表示装置でそれぞれ優先アプリケーションを適用して表示を行った状態を示す図。
【符号の説明】
２，３，４，５，６，７，８，９…センサ（検知手段）、１０…表示装置、１２…縁部、１４…表示部（表示素子）、１６…電源、２０…制御部、２２…ＣＰＵ（切替手段）、２４…ＲＯＭ、２６…ＲＡＭ（記憶手段および登録手段）、２８…バックアップＲＡＭ、３０，３１…センサ、３２…ＶＲＡＭ、３４…表示ドライバ、４０…ネットワーク。
【図１】
0004706151.tif 000003
【図２】
0004706151.tif 000004
【図３】
0004706151.tif 000005
【図４】
0004706151.tif 000006
【図５】
0004706151.tif 000007
【図６】
0004706151.tif 000008
【図７】
0004706151.tif 000009
【図８】
0004706151.tif 000010
【図９】
0004706151.tif 000011
【図１０】
0004706151.tif 000012
【図１１】
0004706151.tif 000013
【図１２】
0004706151.tif 000014
【図１３】
0004706151.tif 000015